(57)【要約】【課題】指導者の意図するメイクの位置・形状を正確に読み取ってメイクをトレーニングすることが可能なメイク指導装置を提供する。【解決手段】ユーザの顔をリアルタイムで撮像する撮像手段１１と、撮像手段１１によりある時点で撮像されたユーザの顔の少なくとも一部を含む静止画像を外部機器へ送信し、静止画像に対するメイク指導を示すメイク指導画像を外部機器から受信する通信手段１３と、静止画像から成分の一部を低減させて位置合せ画像を生成する位置合せ画像生成手段１８と、メイク指導画像よりも位置合せ画像の透過率が大きくなるように、これらの画像を撮像手段１１により撮像されるユーザのリアルタイム画像に合成する合成手段１９と、合成画像を表示する表示手段１２ａとを有する。【選択図】図２
2018189894.tif 000002
【特許請求の範囲】
【請求項１】
ユーザの顔をリアルタイムで撮像する撮像手段と、
前記撮像手段によりある時点で撮像されたユーザの顔の少なくとも一部を含む静止画像を外部機器へ送信し、前記静止画像に対するメイク指導を示すメイク指導画像を前記外部機器から受信する通信手段と、
前記静止画像から成分の一部を低減させた位置合せ画像を生成する位置合せ画像生成手段と、
前記メイク指導画像よりも前記位置合せ画像の透過率が大きくなるように、これらの画像を前記撮像手段により撮像されるユーザのリアルタイム画像に合成する合成手段と、
前記合成手段による合成画像を表示する表示手段と、
を有するメイク指導装置。
【請求項２】
前記合成手段は、前記撮像手段により撮像されるユーザのリアルタイム画像に、前記位置合せ画像を半透過で合成するとともに、前記メイク指導画像を不透過で合成する請求項１に記載のメイク指導装置。
【請求項３】
前記メイク指導画像は、前記静止画像に対する相対位置を指定したベクタ形式の画像であり、
前記合成手段は、前記メイク指導画像を、前記位置合せ画像に対して位置決めする請求項１又は２に記載のメイク指導装置。
【請求項４】
前記位置合せ画像は、前記静止画像におけるユーザの顔の輪郭が抽出された画像である請求項１〜３の何れか一項に記載のメイク指導装置。
【請求項５】
前記位置合せ画像生成手段は、ＤｏＧフィルタ、フーリエ変換、及びウェーブレット変換の何れかにより、前記静止画像から低周波成分を低減させる請求項４に記載のメイク指導装置。
【請求項６】
前記位置合せ画像生成手段は、前記静止画像から所定の色成分を除去することにより、前記位置合せ画像を生成し、
前記合成手段は、前記撮像手段により撮像された画像から前記所定の色成分とは異なる色成分を除去した画像を前記リアルタイム画像として使用し、前記位置合せ画像及び前記メイク指導画像との合成を実行する請求項１〜３の何れか一項に記載のメイク指導装置。
【請求項７】
前記合成手段は、前記メイク指導画像の合成位置を含む領域での透過度が、他の領域での透過度よりも大きくなるように、前記位置合せ画像を合成する請求項１〜６の何れか一項に記載のメイク指導装置。
【請求項８】
前記合成手段は、前記リアルタイム画像、前記位置合せ画像、及び前記メイク指導画像として、各画像の鏡像を用いる請求項１〜７の何れか一項に記載のメイク指導装置。
【請求項９】
撮像手段と、通信手段と、表示手段とを有する端末を制御するコンピュータに、
前記撮像手段によりある時点で撮像されたユーザの顔の少なくとも一部を含む静止画像から成分の一部を低減させた位置合せ画像を生成する位置合せ画像生成ステップと、
前記通信手段に、前記静止画像を外部機器へ送信させ、前記静止画像に対するメイク指導を示すメイク指導画像を前記外部機器から受信させる送受信ステップと、
前記メイク指導画像よりも前記位置合せ画像の透過率が大きくなるように、これらの画像を前記撮像手段により撮像されるユーザのリアルタイム画像に合成する合成ステップと、
前記合成ステップにおける合成画像を表示手段に表示させる表示ステップと、
を実行させるためのメイク指導プログラム。
【請求項１０】
第１端末と第２端末とを含むメイク指導システムであって、
前記第１端末は、
ユーザの顔をリアルタイムで撮像する撮像手段と、
前記撮像手段によりある時点で撮像されたユーザの顔の少なくとも一部を含む静止画像を前記第２端末へ送信する第１通信手段と、
前記静止画像から成分の一部を低減させた位置合せ画像を生成する位置合せ画像生成手段と、
前記撮像手段により撮像されるユーザのリアルタイム画像に、前記位置合せ画像を半透過で合成する合成手段と、
前記合成手段による合成画像を表示する第１表示手段と、
を有し、
前記第２端末は、
前記第１端末から前記静止画像を受信する第２通信手段と、
受信した前記静止画像を表示する第２表示手段と、
前記静止画像に対するメイク指導の入力を受け付ける入力手段と、
前記入力からメイク指導画像を生成するメイク指導画像生成手段と、
を有し、
前記第２通信手段はさらに、前記第１端末へ前記メイク指導画像を送信し、
前記第１通信手段はさらに、前記第２端末から前記メイク指導画像を受信し、
前記合成手段は、前記リアルタイム画像に前記位置合せ画像を半透過で合成したものに、さらに前記メイク指導画像を前記位置合せ画像よりも透過率が小さくなるように合成するメイク指導システム。
【発明の詳細な説明】
【技術分野】
【０００１】
本発明は、メイクの指導を受けるためのメイク指導装置、メイク指導プログラム、及びメイク指導システムに関する。
【背景技術】
【０００２】
メイクは流行性に富むため、日々様々な手法や化粧品、道具等が編み出されている。これらの手法、化粧品、及び道具等をユーザへ伝えるために、メイク教室等においてメイクの指導がなされている。メイク教室での指導は、フェイスチャートでコンセプトに合わせてメイクをデッサンし、生徒同士で互いの顔に又は生徒が自身の顔に実際にメイクを施した後に、生徒によるメイクの出来栄えを確認した指導者が、言葉やジェスチャーで意図を説明しながら、メイクを修正して見せるという手順が一般的である。
【０００３】
メイク技術を学ぶ手法としてメイク教室以外にも、流行のメイクをするためのアドバイスをするサービスや、ユーザが所望する画像に近づけるようなメイクを補助する装置が知られている（例えば、特許文献１を参照）。
【０００４】
特許文献１には、予め専門家の化粧手順を記号化して格納されたものに基づいて、利用者の希望に応じた化粧手順を表示したり、あるいは化粧をしたい顔写真をそのような化粧手順で化粧した場合のシミュレーション画像等を表示したりする化粧アドバイス装置が開示されている。
【先行技術文献】
【特許文献】
【０００５】
【特許文献１】特開２００２−１２３５８５号公報
【発明の概要】
【発明が解決しようとする課題】
【０００６】
メイク教室では、メイクの修正についても生徒自らが行う方が練習になるが、指導者側の意図を正確に示すために、指導者による修正の実演が必要であった。特許文献１の化粧アドバイス装置は、事前に撮影した利用者の顔写真と利用者の理想とする顔写真とを比較し、その差異に基づいて導き出された化粧の手順を表示するものであるため、メイク教室において、特許文献１の化粧アドバイス装置を用いたとしても、メイク中に指導者の意図通りにメイクできているかを確認することはできない。
【０００７】
本発明は、上記問題点に鑑みてなされたものであり、指導者の意図するメイクの位置・形状を正確に読み取ってメイクをトレーニングすることが可能なメイク指導装置、メイク指導プログラム、及びメイク指導システムを提供することを目的とする。
【課題を解決するための手段】
【０００８】
上記課題を解決するための本発明に係るメイク指導装置の特徴構成は、
ユーザの顔をリアルタイムで撮像する撮像手段と、
前記撮像手段によりある時点で撮像されたユーザの顔の少なくとも一部を含む静止画像を外部機器へ送信し、前記静止画像に対するメイク指導を示すメイク指導画像を前記外部機器から受信する通信手段と、
前記静止画像から成分の一部を低減させた位置合せ画像を生成する位置合せ画像生成手段と、
前記メイク指導画像よりも前記位置合せ画像の透過率が大きくなるように、これらの画像を前記撮像手段により撮像されるユーザのリアルタイム画像に合成する合成手段と、
前記合成手段による合成画像を表示する表示手段と、
を有することにある。
【０００９】
本構成のメイク指導装置によれば、合成画像において位置合せ画像に由来する成分が半透過で表示されるため、リアルタイム画像に由来する成分と位置合せ画像に由来する成分とが重なるようにユーザが位置合せすることが容易であり、さらにメイク中にリアルタイム画像に由来する成分の色味を正確に確認することができる。また、位置合せ画像に由来する成分の透過度がメイク指導画像に由来する成分の透過度よりも大きくなるため、メイク指導画像に由来する成分により示されるメイクの指導の目印線等を視認しやすくなる。そのため、指導者の意図するメイクの位置・形状を正確に読み取ってメイクをトレーニングすることが可能となる。
【００１０】
本発明に係るメイク指導装置において、
前記合成手段は、前記撮像手段により撮像されるユーザのリアルタイム画像に、前記位置合せ画像を半透過で合成するとともに、前記メイク指導画像を不透過で合成することが好ましい。
【００１１】
本構成のメイク指導装置によれば、メイク指導画像に由来する成分が不透過で表示されるため、メイクの指導の目印線等をより明確に確認することができる。
【００１２】
本発明に係るメイク指導装置において、
前記メイク指導画像は、前記静止画像に対する相対位置を指定したベクタ形式の画像であり、
前記合成手段は、前記メイク指導画像を、前記位置合せ画像に対して位置決めすることが好ましい。
【００１３】
本構成のメイク指導装置によれば、合成画像においてメイク指導画像に由来する成分の目印線等の位置・形状等が、位置合せ画像に由来する成分に対してずれることなく、位置・形状等を正確に示すようになる。これにより、ユーザは、メイク指導画像に由来する成分が示す目印線の位置・形状を正確に読み取りながら、リアルタイム画像に由来する成分を見てメイクの出来栄えを視認可能な状態でメイクをトレーニングすることができる。
【００１４】
本発明に係るメイク指導装置において、
前記位置合せ画像は、前記静止画像におけるユーザの顔の輪郭が抽出された画像であることが好ましい。
【００１５】
本構成のメイク指導装置によれば、位置合せ画像に由来する成分である輪郭線と、リアルタイム画像に由来する成分とが重なるようにユーザが位置合せすることがさらに容易になる。さらに、位置合せ画像に由来する成分として輪郭線だけが表示されることで、メイク中にリアルタイム画像に由来する成分の色味を正確に確認することがさらに容易になる。
【００１６】
本発明に係るメイク指導装置において、
前記位置合せ画像生成手段は、ＤｏＧフィルタ、フーリエ変換、及びウェーブレット変換の何れかにより、前記静止画像から低周波成分を低減させることが好ましい。
【００１７】
本構成のメイク指導装置によれば、上述の適切な画像処理を用いることで、静止画像におけるユーザの顔の輪郭を位置合せ画像として抽出することができる。
【００１８】
本発明に係るメイク指導装置において、
前記位置合せ画像生成手段は、前記静止画像から所定の色成分を除去することにより、前記位置合せ画像を生成し、
前記合成手段は、前記撮像手段により撮像された画像から前記所定の色成分とは異なる色成分を除去した画像を前記リアルタイム画像として使用し、前記位置合せ画像及び前記メイク指導画像との合成を実行することが好ましい。
【００１９】
本構成のメイク指導装置によれば、合成画像において、リアルタイム画像に由来する成分と位置合せ画像に由来する成分とを、それぞれの色合いの違いにより容易に識別することができる。
【００２０】
本発明に係るメイク指導装置において、
前記合成手段は、前記メイク指導画像の合成位置を含む領域での透過度が、他の領域での透過度よりも大きくなるように、前記位置合せ画像を合成することが好ましい。
【００２１】
本構成のメイク指導装置によれば、表示手段に表示された合成画像を見ながらの位置合せが容易であることは変わることなく、合成画像においてメイク指導画像に由来する成分の周辺では、リアルタイム画像に由来する成分の色味が視認しやすくなる。
【００２２】
本発明に係るメイク指導装置において、
前記合成手段は、前記リアルタイム画像、前記位置合せ画像、及び前記メイク指導画像として、各画像の鏡像を用いることが好ましい。
【００２３】
本構成のメイク指導装置によれば、鏡と同様の使用感でメイク指導装置を使用することができる。
【００２４】
上記課題を解決するための本発明に係るメイク指導プログラムの特徴構成は、
撮像手段と、通信手段と、表示手段とを有する端末を制御するコンピュータに、
前記撮像手段によりある時点で撮像されたユーザの顔の少なくとも一部を含む静止画像から成分の一部を低減させた位置合せ画像を生成する位置合せ画像生成ステップと、
前記通信手段に、前記静止画像を外部機器へ送信させ、前記静止画像に対するメイク指導を示すメイク指導画像を前記外部機器から受信させる送受信ステップと、
前記メイク指導画像よりも前記位置合せ画像の透過率が大きくなるように、これらの画像を前記撮像手段により撮像されるユーザのリアルタイム画像に合成する合成ステップと、
前記合成ステップにおける合成画像を表示手段に表示させる表示ステップと、
を実行させることにある。
【００２５】
本構成のメイク指導プログラムによれば、表示ステップにおいて位置合せ画像に由来する成分が半透過で表示されるため、リアルタイム画像に由来する成分と位置合せ画像に由来する成分とが重なるようにユーザが位置合せすることが容易であり、さらにメイク中にリアルタイム画像に由来する成分の色味を正確に確認することができる。また、位置合せ画像に由来する成分の透過度がメイク指導画像に由来する成分の透過度よりも大きくなるため、メイク指導画像に由来する成分により示されるメイクの指導の目印線等を視認しやすくなる。そのため、指導者の意図するメイクの位置・形状を正確に読み取ってメイクをトレーニングすることが可能となる。
【００２６】
上記課題を解決するための本発明に係るメイク指導システムの特徴構成は、
第１端末と第２端末とを含むメイク指導システムであって、
前記第１端末は、
ユーザの顔をリアルタイムで撮像する撮像手段と、
前記撮像手段によりある時点で撮像されたユーザの顔の少なくとも一部を含む静止画像を前記第２端末へ送信する第１通信手段と、
前記静止画像から成分の一部を低減させた位置合せ画像を生成する位置合せ画像生成手段と、
前記撮像手段により撮像されるユーザのリアルタイム画像に、前記位置合せ画像を半透過で合成する合成手段と、
前記合成手段による合成画像を表示する第１表示手段と、
を有し、
前記第２端末は、
前記第１端末から前記静止画像を受信する第２通信手段と、
受信した前記静止画像を表示する第２表示手段と、
前記静止画像に対するメイク指導の入力を受け付ける入力手段と、
前記入力からメイク指導画像を生成するメイク指導画像生成手段と、
を有し、
前記第２通信手段はさらに、前記第１端末へ前記メイク指導画像を送信し、
前記第１通信手段はさらに、前記第２端末から前記メイク指導画像を受信し、
前記合成手段は、前記リアルタイム画像に前記位置合せ画像を半透過で合成したものに、さらに前記メイク指導画像を前記位置合せ画像よりも透過率が小さくなるように合成することにある。
【００２７】
本構成のメイクアップ指導システムによれば、第１端末において、合成画像において位置合せ画像に由来する成分が半透過で表示されるため、リアルタイム画像に由来する成分と位置合せ画像に由来する成分とが重なるようにユーザが位置合せすることが容易であり、さらにメイク中にリアルタイム画像に由来する成分の色味を正確に確認することができる。また、第１端末において、位置合せ画像に由来する成分の透過度がメイク指導画像に由来する成分の透過度よりも大きくなるため、メイク指導画像に由来する成分により示されるメイクの指導の目印線等を視認しやすくなる。そのため、指導者の意図するメイクの位置・形状を正確に読み取ってメイクをトレーニングすることが可能となる。
【図面の簡単な説明】
【００２８】
【図１】図１は、本発明の実施形態に係るメイク指導システムのシステム構成図である。
【図２】図２は、第１端末の構成を示すブロック図である。
【図３】図３は、第１端末において用いる各種画像の説明図である。
【図４】図４は、第２端末の構成を示すブロック図である。
【図５】図５は、メイク指導画像の生成についての説明図である。
【図６】図６は、第１端末における制御手順を示すフローチャートである。
【図７】図７は、第２端末における制御手順を示すフローチャートである。
【発明を実施するための形態】
【００２９】
以下、本発明に係るメイク指導システム、メイク指導装置、及びメイク指導プログラムに関する実施形態について図面を参照して説明する。なお、本発明は、以下に説明する実施形態や図面に記載される構成に限定されることを意図しない。
【００３０】
＜メイク指導システム＞
図１は、本発明の実施形態に係るメイク指導システム１００のシステム構成図である。メイク指導システム１００は、第１端末１と第２端末２とがルータ３を介して通信可能に構成されている。第１端末１は、メイク教室等において生徒が使用する端末であり、本発明のメイク指導装置を構成する。第２端末２は、メイク教室等において指導者が使用する端末であり、第１端末１へのメイク指導の入力に用いられる装置である。第１端末１及び第２端末２には、例えば、タッチパネルディスプレイを有するタブレットコンピュータ、スマートフォン、及びＰＣ等を用いることができる。以下では、第１端末１を使用する生徒、及び、第２端末２を使用する指導者を、それぞれの端末のユーザとして説明する。図１では、メイク指導システム１００が３台の第１端末１を含む構成としたが、メイク指導システム１００は、第１端末１を少なくとも１台含む構成であればよい。また、図１では、第１端末１及び第２端末２が、ＬＡＮ内に含まれる同一のルータ３と直接通信する構成を示したが、例えば、第１端末１と第２端末２とが、インターネット４を介して通信する構成であってもよい。
【００３１】
＜第１端末（メイク指導装置）＞
図２は、第１端末１の構成を示すブロック図である。図３は、第１端末１において用いる各種画像の説明図である。第１端末１は、撮像手段１１、表示手段１２ａ、通信手段１３、及び制御部１５を備え、さらに追加の構成として、入力手段１２ｂ、及びストレージ１４を備える。
【００３２】
撮像手段１１は、ＣＣＤ等の撮像素子を備えた画像データを生成するカメラであり、ユーザの顔をリアルタイムで撮像する。ここでリアルタイムとは、メイク前からメイク後までに亘るあらゆる個々の瞬間の時点をいう。撮影手段１１は、メイク中にユーザの画像をリアルタイムで連続的に取得することができるため、ユーザがメイク塗布具を持ち、塗布部を顔上に付置し、動かす一連の動作の画像を連続的に取得可能である。このように連続的に取得される画像を利用して表示手段１２ａで表示する画像が随時更新されることによって、ユーザは意図する位置・形状通りに付置・動作できているかを常に確認しながらメイクすることができる。また、ユーザのリアルタイム画像には、撮像手段１１により撮像されたそのままの画像を用いてもよいが、好ましくは、撮像手段１１により撮像された画像を左右に反転した鏡像を用いる。メイク指導システム１００では、撮像手段１１により撮像されたユーザの画像を基に様々な画像を生成し、ユーザは表示手段１２ａに表示したこれらの画像を見ながらメイクを行うという使用形態を想定しているため、撮像手段１１により撮像された画像の鏡像をリアルタイム画像としてストレージ１４に格納して、これを他の画像の生成に用いることで、鏡と同様の使用感でメイク指導システム１００を使用することができる。
【００３３】
表示手段１２ａは、メイク指導システム１００における第１表示手段であり、画像の表示に用いられる液晶ディスプレイ、有機ＥＬディスプレイ等のディスプレイである。
【００３４】
入力手段１２ｂは、ユーザによる入力を受け付けるタッチパネル等であり、表示手段１２ａとともにタッチパネルディスプレイ１２を構成することが好ましい。
【００３５】
通信手段１３は、メイク指導システム１００における第１通信手段であり、例えば、無線ＬＡＮモジュールである。通信手段１３は、ルータ３を介して第２端末２と通信する。
【００３６】
ストレージ１４は、ＨＤＤ、ＳＳＤ等のストレージであり、第１端末１としての機能を実現するためのプログラムである本発明のメイク指導プログラムが格納されているとともに、画像のデータの一時保存等に用いられる。
【００３７】
制御部１５は、ＣＰＵ、ＲＡＭ等からなり、ストレージ１４に記録されたメイク指導プログラムをＲＡＭに読み出してＣＰＵにおいて実行することにより、位置合せ画像生成手段１８、及び合成手段１９の各機能を実現し、さらに、追加の構成として静止画像取得手段１６、及び送受信手段１７の各機能を実現する。
【００３８】
静止画像取得手段１６は、入力手段１２ｂを介したユーザの指示に応じて、静止画像１０１を取得する。静止画像１０１は、ユーザによる指示入力時点で撮像手段１１において撮像された画像データであって、図３の（ａ）に示すように、顔の全域が写っているものが好ましいが、少なくともユーザがメイクしたい領域が写っていればよく、必ずしも顔の全域が写っていなくてもよい。静止画像取得手段１６は、ユーザによる指示入力時点で撮像された画像を表示手段１２ａに表示させ、表示中の画像にユーザの顔の少なくとも一部が含まれていることの確認をユーザに求め、含まれていることがユーザにより確認された場合に、表示に用いた画像を静止画像１０１として取得するよう構成してもよい。
【００３９】
送受信手段１７は、通信手段１３を介したデータの送受信を制御する機能ブロックであって、静止画像取得手段１６において静止画像１０１が取得された場合に取得された静止画像１０１を第２端末２へ送信し、第２端末２からメイク指導画像１０３を受信する。メイク指導画像１０３は、図３の（ｃ）のように、静止画像１０１に対するメイク指導として、メイクの位置・形状等を示す目印線等の画像であり、例えば、静止画像１０１に対する相対位置が指定されたベクタ形式の画像であることが好ましい。
【００４０】
位置合せ画像生成手段１８は、静止画像１０１から一部の画像成分を低減させることにより位置合せ画像１０２を生成する。位置合せ画像生成手段１８による位置合せ画像１０２の生成では、例えば、ＤｏＧフィルタ、フーリエ変換、及びウェーブレット変換等を単独で、又は二つ以上を組み合わせて構成したハイパスフィルタを用いて静止画像１０１の低周波成分を低減させることによって、図３の（ｂ）のように、静止画像１０１からエッジ部分となる画素を抽出した位置合せ画像１０２を生成することが好ましい。図３の（ａ）に示す静止画像１０１は、全ての画素において色情報を有するが、静止画像１０１からエッジ部分となる画素を抽出した位置合せ画像１０２では、図３の（ｂ）において破線で示す画素、及びその近傍の画素だけが色情報を有し、それ以外の画素は色情報を有していない透過画素となる。静止画像１０１では特にユーザの顔の輪郭線等がエッジ部分となるため、静止画像１０１からエッジ部分となる画素を抽出した場合、位置合せ画像１０２は、静止画像１０１におけるユーザの顔の輪郭が抽出された画像となる。また、位置合せ画像１０２は、静止画像１０１と同サイズの画像であることが好ましい。
【００４１】
合成手段１９は、撮像手段１１により撮像されるユーザのリアルタイム画像に、位置合せ画像１０２、及びメイク指導画像１０３を合成した合成画像１０４を生成する。生成された合成画像１０４は、表示手段１２ａに表示される。合成手段１９による合成画像１０４の生成では、メイク指導画像１０３よりも位置合せ画像１０２の透過率が大きくなるように、これらの画像を撮像手段１１により撮像されるユーザのリアルタイム画像に合成する。特に、合成手段１９は、撮像手段１１により撮像されるユーザのリアルタイム画像に、位置合せ画像１０２を半透過で合成するとともに、メイク指導画像１０３を不透過で合成することが好ましい。このように合成することで、合成画像１０４は、図３の（ｄ）のように、リアルタイム画像に由来する成分１０４ａ上に位置合せ画像１０２に由来する成分１０４ｂが半透過で表示され、さらにメイク指導画像１０３に由来する成分１０４ｃが不透過で表示される画像となる。さらに、静止画像１０１、及び位置合せ画像１０２が同サイズの画像であり、さらに、メイク指導画像１０３が静止画像１０１に対する相対位置が指定されたベクタ形式の画像である場合、合成手段１９は、メイク指導画像１０３を位置合せ画像１０２に対して位置決めすることが好ましい。このように合成することで、合成画像１０４は、図３の（ｄ）のように、位置合せ画像１０２に由来する半透過の成分１０４ｂに対して、メイク指導画像１０３に由来する不透過の成分１０４ｃがメイクの目印線として位置・形状等を正確に示すようになる。一方、リアルタイム画像は、撮像手段１１により連続的に取得され、ユーザの動きに連動して変化するため、合成画像１０４においてメイク指導画像１０３に由来する成分１０４ｃは、リアルタイム画像に由来する成分１０４ａに対して位置、及び大きさ等がずれる場合がある。しかし、ユーザは、表示手段１２ａに表示されている合成画像１０４に含まれる半透過の位置合せ画像１０２の成分１０４ｂに、リアルタイム画像の成分１０４ａが一致するように前後左右等に移動することで、リアルタイム画像に由来する成分１０４ａに対して、メイク指導画像１０３に由来する不透過の成分１０４ｃの位置、及び大きさを一致させることができる。これにより、第１端末１のユーザは、メイク指導画像１０３が示す目印線の意図する位置・形状を正確に読み取りながら、リアルタイム画像に由来する成分１０４ａを見てメイクの出来栄えを視認可能な状態でメイクをトレーニングすることができる。特に、位置合せ画像１０２にユーザの顔の輪郭が抽出された画像を用いる場合、位置合せ画像１０２は図３の（ｂ）において破線で示した輪郭等の部分以外に色情報を有していないため、図３の（ｄ）の合成画像１０４において位置合せ画像１０２に由来する輪郭部分等（成分１０４ｂ）と、メイク指導画像１０３に由来する不透過の目印線等（成分１０４ｃ）とを除いたその他の全ての部分で、ユーザは、リアルタイム画像そのままの色を参照することができる。
【００４２】
＜第２端末＞
図４は、第２端末２の構成を示すブロック図である。第２端末２は、表示手段２２ａ、入力手段２２ｂ、通信手段２３、及び制御部２５を備え、さらに追加の構成として、ストレージ２４を備える。
【００４３】
表示手段２２ａは、メイク指導システム１００における第２表示手段であり、画像の表示に用いられる液晶ディスプレイ、有機ＥＬディスプレイ等のディスプレイである。表示手段２２ａは、第１端末１から受信された静止画像１０１を表示する。
【００４４】
入力手段２２ｂは、ユーザによる入力を受け付けるタッチパネル等であり、メイクの指導の入力を受け付ける。メイクの指導の入力とは、例えば、表示手段２２ａに静止画像１０１が表示された状態において、タッチパネル等を用いて画面上の位置を指定する描画操作の入力である。表示手段２２ａと入力手段２２ｂとは、タッチパネルディスプレイ２２を構成することが好ましい。
【００４５】
通信手段２３は、メイク指導システム１００における第２通信手段であり、例えば、無線ＬＡＮモジュールである。通信手段２３は、ルータ３を介して第１端末１と通信する。
【００４６】
ストレージ２４は、ＨＤＤ、ＳＳＤ等のストレージであり、第２端末２としての機能を実現するためのプログラムが格納されているとともに、画像のデータの一時保存等に用いられる。
【００４７】
制御部２５は、ＣＰＵ、ＲＡＭ等からなり、ストレージ２４に記録されたプログラムをＲＡＭに読み出してＣＰＵにおいて実行することにより、メイク指導画像生成手段２６の機能を実現し、さらに、追加の構成として送受信手段２７の機能を実現する。
【００４８】
メイク指導画像生成手段２６は、入力手段２２ｂにおけるタッチ操作により入力された描画操作に応じて、メイク指導画像１０３を生成する。メイク指導画像生成手段２６は、例えば、ベクタ形式の画像を公知の手法を用いて生成する機能を有することが好ましい。図５は、メイク指導画像の生成についての説明図である。第２端末２では、第１端末１から静止画像１０１が受信されると、図５の（ａ）に示すように、表示手段２２ａに静止画像１０１を表示する。図５の（ｂ）に示すように、第２端末２のユーザである指導者が、静止画像１０１が表示された表示手段２２ａ上を指２０１でなぞる等の描画操作により、入力手段２２ｂを介してメイクの位置・形状の指導を入力した場合、メイク指導画像生成手段２６は、描画操作に応じてメイク指導画像１０３を生成し、生成したメイク指導画像１０３を表示手段２２ａに表示させる。このときメイク指導画像生成手段２６は、描画操作がなされた位置と表示手段２２ａに表示している静止画像１０１の位置とを対応づけることにより、静止画像１０１に対する相対位置情報を含むメイク指導画像１０３を生成する。そのため、図５の（ｂ）のように、描画操作時に表示手段２２ａにおいて静止画像１０１の一部を拡大して表示していたとしても、図５の（ｃ）のように、生成後のメイク指導画像１０３は、表示手段２２ａに全画面表示した静止画像１０１に対して、メイクの目印線の位置・形状がずれることがない。
【００４９】
送受信手段２７は、通信手段２３を介したデータの送受信を制御する機能ブロックであって、第１端末１から静止画像１０１を受信し、メイク指導画像生成手段２６においてメイク指導画像１０３が生成された場合にメイク指導画像１０３を第１端末１へ送信する。
【００５０】
＜メイク指導プログラム＞
以下に、第１端末１及び第２端末２を制御するプログラムについて説明する。
【００５１】
図６は、第１端末１における制御手順を示すフローチャートである。第１端末１では、制御部１５がプログラム（メイク指導プログラム）を実行することで、メイクの終了の通知操作がなされるまで、ステップＳ１〜ステップＳ１０の各処理を繰り返すように制御される。まず、ステップＳ１で、撮像手段１１にユーザの画像を撮像させ、撮像した画像の鏡像をリアルタイム画像としてストレージ１４に格納する。次に、ステップＳ２で、入力手段１２ｂを介して静止画像の取得を指示する操作が入力されたかを判定する。静止画像の取得を指示する操作が入力されている場合（ステップＳ２：Ｙｅｓ）、ステップＳ１でストレージに格納したリアルタイム画像を、静止画像１０１として取得してストレージ１４に格納する（ステップＳ３）。さらに、ステップＳ３で取得した静止画像１０１から成分の一部を低減させることにより位置合せ画像１０２を生成してストレージ１４に格納するとともに（ステップＳ４）、生成した位置合せ画像１０２を、通信手段１３を介して第２端末２へ送信する（ステップＳ５）。位置合せ画像１０２の送信後、第２端末２からメイク指導画像１０３を受信したかを判定する（ステップＳ６）。第２端末２からメイク指導画像１０３を受信した場合（ステップＳ６：Ｙｅｓ）、受信したメイク指導画像１０３をストレージ１４に格納する（ステップＳ７）。その後、リアルタイム画像、位置合せ画像１０２、及びメイク指導画像１０３をストレージ１４から読み出し、メイク指導画像１０３よりも位置合せ画像１０２の透過率が大きくなるように、これらの画像をリアルタイム画像に合成することで、合成画像１０４を生成し（ステップＳ８）、生成した合成画像１０４を表示手段１２ａに表示させる（ステップＳ９）。ステップＳ９において合成画像１０４を表示させた後、入力手段１２ｂを介してメイクの終了を通知する操作がユーザによって入力されたかを判定する（ステップＳ１０）。メイクの終了を通知する操作が入力されていない場合（ステップＳ１０：Ｎｏ）はステップＳ１に処理を戻し、メイクの終了を通知する操作が入力されている場合（ステップＳ１０：Ｙｅｓ）は処理を終了する。
【００５２】
なお、ステップＳ２において静止画像の取得を指示する操作が入力されなかった場合（ステップＳ２：Ｎｏ）、及びステップＳ６においてメイク指導画像１０３が受信されなかった場合（ステップＳ６：Ｎｏ）には、処理をステップＳ８まで進める。そのため、ステップＳ８における合成処理の実行時にストレージ１４に位置合せ画像１０２、メイク指導画像１０３が格納されていないことがあるが、その場合は、ストレージ１４に格納されていなかった画像を用いずに合成処理を実行する。
【００５３】
また、ステップＳ１〜ステップＳ１０のループ処理を既に繰り返し実行しており、リアルタイム画像、静止画像１０１、位置合せ画像１０２、及びメイク指導画像１０３をストレージ１４に格納しようとした場合に、以前のループ処理においてこれらの画像がストレージ１４に既に格納されている場合には、それらを最新のものに更新する。
【００５４】
図７は、第２端末２における制御手順を示すフローチャートである。第２端末２では、制御部２５がプログラムを実行することで、メイク指導の終了の通知操作がなされるまで、ステップＳ１１〜ステップＳ１６の各処理を繰り返すように制御される。まず、ステップＳ１１で、通信手段２３において第１端末１から静止画像１０１を受信したかを判定する（ステップＳ１１）。第１端末１から静止画像１０１を受信していない場合（ステップＳ１１：Ｎｏ）、ステップＳ１１の処理を繰り返して静止画像１０１の受信を待ち受ける。第１端末１から静止画像１０１を受信した場合（ステップＳ１１：Ｙｅｓ）、静止画像１０１を表示手段２２ａに表示させる（ステップＳ１２）。次に、ステップＳ１３で、入力手段２２ｂを介してメイクの指導を示す描画操作が入力されたかを判定する。描画操作が入力されていない場合（ステップＳ１３：Ｎｏ）、ステップＳ１３の処理を繰り返して描画操作の入力を待ち受ける。描画操作が入力されている場合（ステップＳ１３：Ｙｅｓ）、描画操作に応じたメイク指導画像１０３を生成し（ステップＳ１４）、生成したメイク指導画像１０３を、通信手段２３を介して第１端末１へ送信する（ステップＳ１５）。ステップＳ１５においてメイク指導画像１０３を送信させた後、入力手段２２ｂを介してメイクの指導の終了を通知する操作がユーザによって入力されたかを判定する（ステップＳ１６）。メイクの指導の終了を通知する操作が入力されていない場合（ステップＳ１６：Ｎｏ）はステップＳ１１に処理を戻して次の静止画像１０１が受信されるのを待ち受け、メイクの指導の終了を通知する操作が入力されている場合（ステップＳ１６：Ｙｅｓ）は処理を終了する。
【００５５】
以上のプログラムの実行により、第１端末１及び第２端末２は、それらの機能が実現される。
【００５６】
＜別実施形態＞
本発明を上記の実施形態に基づいて説明してきたが、本発明は、上記の実施形態に限定されないのはもちろんである。例えば、別実施形態として、以下に示すような変形例を実施することもできる。
【００５７】
上述の実施形態では、位置合せ画像生成手段１８は、ＤｏＧフィルタ、フーリエ変換、及びウェーブレット変換の少なくとも一つを用いて静止画像１０１の低周波成分を低減させることで、位置合せ画像１０２を生成するとしたが、本発明に係るメイク指導システム１００では、他の手法により位置合せ画像１０２を生成してもよい。例えば、位置合せ画像生成手段１８は、静止画像１０１の赤（Ｒ）、緑（Ｇ）、青（Ｂ）の各色成分のうち所定の色成分、例えばＲ成分を除去又は低減させることにより、位置合せ画像１０２を生成してもよい。この場合、合成手段１９は、撮像手段１１により撮像された画像から所定の色成分とは異なる色成分、例えば、Ｇ成分又はＢ成分を除去、又は低減させた画像を生成して、これをリアルタイム画像として使用して合成画像１０４を生成することが好ましい。一部の色成分を除去、又は低減させた画像をリアルタイム画像、及び位置合せ画像１０２として用いることで、ユーザは、表示手段１２ａに表示された合成画像１０４を見ながらの位置合せにおいて、リアルタイム画像に由来する成分１０４ａと位置合せ画像１０２に由来する成分１０４ｂとを容易に識別することができる。
【００５８】
また、本発明に係るメイク指導システム１００では、合成手段１９における合成画像１０４の生成時に、位置合せ画像１０２の全体で一定の透過率を用いてもよいが、一部の領域で位置合せ画像１０２の透過率を大きくしてもよい。例えば、メイク指導画像１０３により示されるメイクの目印線等の合成位置を含む領域での位置合せ画像１０２の透過度が、他の領域での透過度よりも大きくなるように構成してもよい。このような構成であれば、表示手段１２ａに表示された合成画像１０４を見ながらの位置合せが容易であることは変わることなく、合成画像１０４においてメイク指導画像１０３に由来する目印線周辺では、リアルタイム画像に由来する成分の色味が視認しやすくなる。あるいは、タッチパネルである入力手段１２ｂをユーザがタッチした位置での位置合せ画像１０２の透過率を、他の領域での透過度よりも大きくなるように構成してもよい。
【産業上の利用可能性】
【００５９】
本発明は、メイク中に指導者の意図するメイクの位置・形状等を正確に読み取ってメイクをトレーニングすることが可能なメイク指導装置、メイク指導プログラム、及びメイク指導システムとして好適に利用可能である。
【符号の説明】
【００６０】
１            第１端末（メイク指導装置）
２            第２端末
１２ａ        表示手段（第１表示手段）
１３          通信手段（第１通信手段）
１８          位置合せ画像生成手段
１９          合成手段
２２ａ        表示手段（第２表示手段）
２２ｂ        入力手段
２３          通信手段（第２通信手段）
２６          メイク指導画像生成手段
１００        メイク指導システム
１０１        静止画像
１０２        位置合せ画像
１０３        メイク指導画像
１０４        合成画像
【図１】
2018189894.tif 000003
【図２】
2018189894.tif 000004
【図３】
2018189894.tif 000005
【図４】
2018189894.tif 000006
【図５】
2018189894.tif 000007
【図６】
2018189894.tif 000008
【図７】
2018189894.tif 000009